(57)【要約】  鏡ユニットと、色及び明るさを調整可能な照明用の面光源と、複数のシーン各々に対応した照明条件を記録した記録部と、化粧鏡セットの設置場所における環境光の色及び明るさを検出する検出部と、入力操作に応じて複数のシーンから１のシーンを選択する選択部と、選択部によって選択された１のシーンに対応した照明条件を記録部から取得する取得部と、検出部によって検出された環境光の色及び明るさと、取得部によって取得された照明条件とに応じて面光源の色及び明るさを調整する調整部と、を備える照明付き化粧鏡セット。
2013046438.tif 000002
【特許請求の範囲】
【請求項１】
鏡ユニットを備える照明付き化粧鏡セットであって、
色及び明るさを調整可能な照明用の面光源と、
複数のシーン各々に対応した照明条件を記録した記録部と、
前記化粧鏡セットの設置場所における環境光の色及び明るさを検出する検出部と、
入力操作に応じて前記複数のシーンから１のシーンを選択する選択部と、
前記選択部によって選択された前記１のシーンに対応した前記照明条件を前記記録部から取得する取得部と、
前記検出部によって検出された環境光の色及び明るさと、前記取得部によって取得された前記照明条件とに応じて前記面光源の色及び明るさを調整する調整部と、を備えることを特徴とする照明付き化粧鏡セット。
【請求項２】
前記面光源は複数備えられ、
前記記録部は前記面光源毎に複数のシーン各々に対応した照明条件を記録し、
前記調整部は前記検出部によって検出された環境光の色及び明るさと、前記面光源毎に前記取得部によって取得された前記照明条件とに応じて前記面光源毎に前記面光源の色及び明るさを調整することを特徴とする請求項１記載の照明付き化粧鏡セット。
【請求項３】
前記照明条件は前記シーン毎の色及び明るさを含み、
前記調整部は前記検出部によって検出された環境光の色及び明るさと、前記取得部によって取得された前記照明条件の色及び明るさとの差に応じて前記面光源の色及び明るさを調整することを特徴とする請求項１又は２記載の照明付き化粧鏡セット。
【請求項４】
前記調整部は前記検出部によって検出された環境光の色及び明るさと、前記取得部によって取得された前記照明条件の色及び明るさとの差を打ち消すように前記面光源の色及び明るさを調整することを特徴とする請求項３記載の照明付き化粧鏡セット。
【請求項５】
前記検出部は前記面光源の非発光時に前記環境光下で前記鏡ユニットの鏡面に映し出された人物の色及び明るさを検出し、
前記照明条件は前記シーン毎に前記人物が受ける色及び明るさを含むことを特徴とする請求項１記載の照明付き化粧鏡セット。
【請求項６】
鏡ユニットと、色及び明るさを調整可能な照明用の面光源とを備える照明付き化粧鏡セットの光源制御方法であって、
前記化粧鏡セットの設置場所における環境光の色及び明るさを検出する検出ステップと、
入力操作に応じて前記複数のシーンから１のシーンを選択する選択ステップと、
前記選択部によって選択された前記１のシーンに対応した前記照明条件を前記記録部に記録された複数のシーン各々に対応した照明条件のうちから取得する取得ステップと、
前記検出ステップによって検出された環境光の色及び明るさと、前記取得ステップによって取得された前記照明条件とに応じて前記面光源の色及び明るさを調整する調整ステップと、を備えることを特徴とする照明付き化粧鏡セットの光源制御方法。
【発明の詳細な説明】
【技術分野】
【０００１】
本発明は、鏡ユニットと共に照明用の光源を有する照明付き化粧鏡セット及び光源制御方法に関する。
【背景技術】
【０００２】
モデルや女優の化粧（整髪を含む）の際には化粧の具合を鏡に明確に映し出すために照明が必要とされ、そのような照明用として複数の光源を並べたハリウッドライトと称するものが知られている。また、化粧鏡の両側にハリウッドライトを備えた照明付き化粧鏡セットがメークアップケースとして商品化されている。ハリウッドライトにおいては光源としては通常、点光源の白熱電球が用いられている。【０００３】
更に、照明特性を調整可能な照明装置と化粧鏡とを備えた照明付き化粧鏡セット（特許文献１）が公知である。特許文献１の照明付き化粧鏡セットにおいては、ユーザによって選択されたシーンにおける照明光の照明特性のデータを、記憶部に予め記憶された想定シーン照明データベースから取得し、照明装置に対してその取得した照明特性で照明する制御信号を供給することより照明装置ではその制御信号に応じた照明が行われる。
【先行技術文献】
【特許文献】
【０００４】
【特許文献１】特開２００９−１２５１１４号公報
【発明の概要】
【発明が解決しようとする課題】
【０００５】
従来の照明付き化粧鏡セットにおいては、予め想定したシーンによって照明光の照明特性を変化させ化粧を行う条件を作り出すことが行われる。しかしながら、周囲の環境光の存在を考慮していないので、必ずしもその環境下において最適な照明条件を得ることができないことがある。特に、照明付き化粧鏡セットが設置される場所や時間によって環境光が変化するため、環境光の影響を無視することができない。【０００６】
そこで、本発明が解決しようとする課題は、上記の欠点が一例として挙げられ、環境光の影響を考慮しつつシーンに最適な照明状態を作り出すことができる照明付き化粧鏡セット及び光源制御方法を提供することが本発明の目的である。
【課題を解決するための手段】
【０００７】
請求項１に係る発明の照明付き化粧鏡セットは、色及び明るさを調整可能な照明用の面光源と、複数のシーン各々に対応した照明条件を記録した記録部と、前記化粧鏡セットの設置場所における環境光の色及び明るさを検出する検出部と、入力操作に応じて前記複数のシーンから１のシーンを選択する選択部と、前記選択部によって選択された前記１のシーンに対応した前記照明条件を前記記録部から取得する取得部と、前記検出部によって検出された環境光の色及び明るさと、前記取得部によって取得された前記照明条件とに応じて前記面光源の色及び明るさを調整する調整部と、を備えることを特徴としている。【０００８】
請求項６に係る発明の照明付き化粧鏡セットの光源制御方法は、鏡と、色及び明るさを調整可能な照明用の面光源とを備える化粧鏡セットの光源制御方法であって、前記化粧鏡セットの設置場所における環境光の色及び明るさを検出する検出ステップと、入力操作に応じて前記複数のシーンから１のシーンを選択する選択ステップと、前記選択部によって選択された前記１のシーンに対応した前記照明条件を前記記録部に記録された複数のシーン各々に対応した照明条件のうちから取得する取得ステップと、前記検出ステップによって検出された環境光の色及び明るさと、前記取得ステップによって取得された前記照明条件とに応じて前記面光源の色及び明るさを調整する調整ステップと、を含むことを特徴としている。
【発明を実施するための形態】
【０００９】
請求項１に係る発明の照明付き化粧鏡セット及び請求項６に係る発明の照明付き化粧鏡セットの光源制御方法によれば、入力操作に応じて複数のシーンから１のシーンを選択すると共に化粧鏡セットの設置場所における環境光の色及び明るさを検出し、検出した環境光の色及び明るさと、選択した１のシーンに対応して記録部から取得した照明条件とに応じて面光源の色及び明るさを調整するので、環境光の影響を考慮しつつ選択した１のシーンに最適な照明状態を作り出すことができる。
【図面の簡単な説明】
【００１０】
【図１】本発明の実施例として照明付き化粧鏡セットを示す外観図である。
【図２】図１の化粧鏡セット中の蝶番機構を示す図である。
【図３】図１の化粧鏡セットの折りたたみ状態を示す外観図である。
【図４】図１の化粧鏡セット中の有機ＥＬパネルの構造を示す断面図である。
【図５】図１の化粧鏡セットの駆動装置の構成を示すブロック図である。
【図６】図１の化粧鏡セット中の操作部の各押しボタンを示す図である。
【図７】図５の駆動装置の制御動作を示すフローチャートである。
【図８】図５の駆動装置の制御動作を示すフローチャートである。
【図９】単一の面光源の発光面を複数の領域に分けて領域毎に個別に駆動する照明付き化粧鏡セットを示す外観図である。
【図１０】鏡面左右及び上方に面光源を各々備えた照明付き化粧鏡セットを示す外観図である。
【実施例】
【００１１】
以下、本発明の実施例を、図面を参照しつつ詳細に説明する。【００１２】
図１は請求項１に係る発明の実施例である照明付きの化粧鏡セットを示している。この化粧鏡セットは、鏡ユニット１１、左右の側板１２，１３、及び支持台１４を備えている。鏡ユニット１１は長方形の鏡２１とその鏡２１の裏面に張り合わされた平板２２とを有する。平板２２は樹脂、木、或いは金属からなり、鏡２１のサイズと同一サイズを有しても良いし、若干大きくても良い。左側の側板１２は鏡ユニット１１の左側端部に角度調整自在に連結され、右側の側板１３は鏡ユニット１１の右側端部に角度調整自在に連結されている。鏡ユニット１１と側板１２，１３との間には図２に示すように蝶番機構１５が形成されており、その蝶番機構１５によって上記の角度調整自在な連結が可能となっている。その角度調整範囲は鏡ユニット１１と側板１２，１３とがほぼ水平となる角度から、鏡ユニット１１に対して側板１２，１３を折りたたんだ状態における角度までを含む。【００１３】
側板１２，１３各々の垂直方向の長さは鏡ユニット１１の垂直方向の長さと同一であるが、水平方向の長さは鏡ユニット１１の水平方向の長さの１／２以下である。【００１４】
側板１２，１３各々の表面には４つの有機ＥＬ(Electro Luminescence)パネル（面光源）２５ａ〜２５ｄ，２６ａ〜２６ｄが垂直方向に並べて接着によって取り付けられている。有機ＥＬパネル２５ａ〜２５ｃ，２６ａ〜２６ｄは同一のものであり、例えば、１３ｃｍ×１３ｃｍの正方形状をしている。【００１５】
支持台１４は台座１４ａと支柱１４ｂとからなり、楕円平板の台座１４ａに対して垂直に支柱１４ｂは連結している。支持台１４は側板１２，１３を含む鏡ユニット１１を支持するために支柱１４ｂが鏡ユニット１１に取り外し自在に連結している。例えば、鏡ユニット１１の低部には連結孔（図示せず）が形成され、支柱１４ｂの先端部がその連結孔に差し込まれることにより支持台１４と鏡ユニット１１とが結合するようになっている。【００１６】
上記した構成を有する図１の化粧鏡セットにおいては、側板１２，１３各々を鏡ユニット１１との連結部分（上記の蝶番機構１５）を回転軸としてメークアップアーチスト等の利用者（ユーザ）が操作することにより側板１２，１３各々と鏡ユニット１１との角度を調整することができる。すなわち、鏡２１の鏡面に映し出されるモデル等の化粧対象者の像を側板１２，１３各々の有機ＥＬパネル２５ａ〜２５ｄ，２６ａ〜２６ｄによる発光によって好適に照らし出すように側板１２，１３各々と鏡ユニット１１との角度を調整することができる。【００１７】
また、側板１２，１３各々は有機ＥＬパネル２５ａ〜２５ｄ，２６ａ〜２６ｄを有する状態で図３に示すように折りたたむことができる。この折りたたんだ状態で側板１２，１３同士が接触することはなく、また、有機ＥＬパネル２５ａ〜２５ｄ，２６ａ〜２６ｄの厚みが薄いために有機ＥＬパネル２５ａ〜２５ｄ，２６ａ〜２６ｄが鏡２１に圧接することもない。【００１８】
更に、支持台１４を鏡ユニット１１から取り外して支持台１４と鏡ユニット１１及び側板１２，１３部分とを分離し、上記のように鏡ユニット１１に対して側板１２，１３を折りたたんだ状態にすることにより化粧鏡セットの搬送が容易となる。【００１９】
次に、図１の化粧鏡セットの有機ＥＬパネル２５ａ〜２５ｄ，２６ａ〜２６ｄ各々及びその駆動系について説明する。【００２０】
有機ＥＬパネル２５ａ〜２５ｄ，２６ａ〜２６ｄ各々はフルカラーの照明用発光パネルであり、図４に示すように、ガラス基板５１上に発光色がＲ（赤）Ｇ（緑）Ｂ（青）である有機ＥＬ素子５０Ｒ，５０Ｇ，５０Ｂがストライプ状に形成されている。なお、図４はストライプの直線に直交する方向の断面を示している。【００２１】
それらの有機ＥＬ素子５０Ｒ，５０Ｇ，５０Ｂ各々は陽極５２、ホール注入層５３、ホール輸送層５４、ＲＧＢ発光層５５Ｒ，５５Ｇ，５５Ｂ、電子輸送層５６、そして陰極５７の順に積層された構造を有し、有機ＥＬ素子５０Ｒ，５０Ｇ，５０Ｂ間はバンク５８で仕切られている。また、各有機ＥＬ素子５０Ｒ，５０Ｇ，５０Ｂの陽極５２上にはバスライン５９が形成されており、バスライン５９によって陽極５２への給電が行われるようになっている。陽極５２は例えば、スパッタ法により膜厚７０ｎｍのＩＴＯ膜からなる。ホール注入層５３はＣｕＰｃからなり、厚さ２０ｎｍである。ホール輸送層５４はＮＰＢからなり、厚さ２０ｎｍである。Ｒ（赤）発光層５５ＲはＣＰＢをホスト材料とし、Ｉｒ(ｐｈｑ)２ｔｐｙをドーパントとしており、Ｇ（緑）発光層５５ＧはＣＰＢをホスト材料とし、Ｉｒ(ｐｐｙ)３をドーパントとしており、Ｂ（青）５５ＢはＰＡＮＤをホスト材料とし、ＤＰＡＶＢｉをドーパントとしている。ＲＧＢ発光層５５Ｒ，５５Ｇ，５５Ｂの厚さは４０ｎｍである。電子輸送層５６はＣｓｘＭｏＯｘをドープしたＮＢｐｈｅｎからなり、厚さ３０ｎｍである。陰極５７は膜厚７０〜１００ｎｍのＡｌ膜からなる。なお、この有機ＥＬパネル２５ａ〜２５ｄ，２６ａ〜２６ｄの内部構造は一例であり、本発明はこれに限定されない。【００２２】
図１の化粧鏡セットは有機ＥＬパネル２５ａ〜２５ｄ，２６ａ〜２６ｄを駆動する駆動装置を備えている。駆動装置は図５に示すように、ＡＣ−ＤＣコンバータ６１、制御部６２、メモリ６３、操作部６４及び受光部６５を有している。ＡＣ−ＤＣコンバータ６１は交流電圧を直流電圧に変換して出力する。ＡＣ−ＤＣコンバータ６１の出力電圧は直流電源として有機ＥＬパネル２５ａ〜２５ｄ，２６ａ〜２６ｄ各々及び制御部６２に供給される。制御部６２は、ＡＣ−ＤＣコンバータ６１の出力電圧を電源として動作し、例えば、ＣＰＵで構成され、有機ＥＬパネル２５ａ〜２５ｄ，２６ａ〜２６ｄ各々の上記のＲＧＢの有機ＥＬ素子５０Ｒ，５０Ｇ，５０Ｂ毎の駆動電流を制御することにより有機ＥＬパネル毎に発光（発光色及び輝度）を個別に制御する。【００２３】
制御部６２には更に、メモリ６３、操作部６４及び受光部６５が接続されている。メモリ６３には制御部６２の制御で必要なプログラムやデータが保存される。操作部６４は有線又は無線のリモコンとして備えられている。【００２４】
操作部６４には、図６に示すように、電源ボタン７０とシーンボタン７５ａ〜７５ｅとが設けられている。ユーザによる操作部６４の電源ボタン７０の操作によって電源が投入された後においては、シーンボタン７５ａ〜７５ｅのいずれか１の操作が可能となる選択部である。【００２５】
メモリ６３（記録部）には複数のシーン各々に対応した照明条件である色及び輝度（明るさ）がデータとして予め記憶されている。シーンとしては例えば、オフィス、ホテルラウンジ、ディナーパーティ、ファションショー、及びアウトドアがある。また、有機ＥＬパネル２５ａ〜２５ｄ，２６ａ〜２６ｄ各々の最適な発光色及び輝度に対応してＲＧＢ各々の駆動電流値がデータとしてメモリ６３に記憶されている。上記のシーンボタン７５ａ〜７５ｅはメモリ６３にデータとして記憶された複数のシーンの数分だけ備えられている。【００２６】
受光部６５と制御部６２とは、本化粧鏡セットの設置場所における環境光の色及び明るさを検出する検出部を構成している。受光部６５は例えば、鏡ユニット１１又は側板１２，１３のいずれかに取り付けられ（図１では側板１２に取り付けられている）、本化粧鏡セットが配置された場所（部屋）における映像（例えば、ホワイトスクリーン映像）を環境光として検出する。受光部６５は例えば、カラーカメラであり、環境光を示すＲＧＢの映像信号を出力する。受光部６５によって検出された環境光の映像信号は制御部６２に供給される。制御部６２は有機ＥＬパネル２５ａ〜２５ｄ，２６ａ〜２６ｄを駆動していない時に得られた環境光の映像信号に応じて画像分析して環境光の色及び輝度（明るさ）を決定する。例えば、映像信号の全ての画素のＲＧＢの数値からＲＧＢ各々の平均値を算出し、そのＲＧＢの各平均値に基づいて色及び輝度を算出し、それを環境光の色及び輝度とする。制御部６２は取得部及び調整部を構成し、環境光の色及び輝度と、選択されたシーンに対応した色及び輝度との差に基づいて有機ＥＬパネル２５ａ〜２５ｄ，２６ａ〜２６ｄを駆動すると共に有機ＥＬパネル２５ａ〜２５ｄ，２６ａ〜２６ｄの発光色及び輝度を調整する。【００２７】
ユーザによってシーンボタン７５ａ〜７５ｅのいずれか１つのシーンボタンが押圧操作されると、制御部６２は図７に示すように、その操作された１つのシーンボタンに対応したシーンの照明条件のデータである色及び輝度をメモリ６３から読み出す（ステップＳ１）。一方、制御部６２は受光部６５から供給された環境光の映像信号に応じて上記したように環境光の色及び輝度を決定する（ステップＳ２）。この環境光の色及び輝度と、メモリ６３から読み出した色及び輝度との差（色の差及び輝度の差）を算出する（ステップＳ３）。制御部６２はこの色及び輝度各々の差分を打ち消すように有機ＥＬパネル毎に１つのシーンボタンに対応したシーンの駆動用の色及び輝度を決定し（ステップＳ４）、更に駆動用の色及び輝度に対応したＲＧＢの駆動電流値を有機ＥＬパネル毎にメモリ６３から読み出して決定する（ステップＳ５）。そして、制御部６２は読み出した有機ＥＬパネル毎のＲＧＢの駆動電流値にて対応する有機ＥＬパネル２５ａ〜２５ｄ，２６ａ〜２６ｄ各々の赤緑及び青の発光色の各有機ＥＬ素子５０Ｒ，５０Ｇ，５０Ｂに駆動電流を供給する（ステップＳ６）。よって、これらのステップＳ１〜Ｓ６が実行されることにより、有機ＥＬパネル２５ａ〜２５ｄ，２６ａ〜２６ｄ各々が点灯して鏡２１の鏡面に像として映し出された化粧対象者を照明する。【００２８】
この結果、選択された１つのシーンボタンに対応したシーンの照明から環境光の影響を排除させることができ、そのシーンに最適な照明状態を作り出すことができる。【００２９】
なお、操作部６４でシーンボタン７５ａ〜７５ｅのいずれか１つのシーンボタンが押圧操作されることが選択ステップに対応し、制御部２によるステップＳ１が取得ステップに対応し、ステップＳ２が検出ステップに対応し、ステップＳ３〜Ｓ６が調整ステップに対応する。【００３０】
上記した実施例においては、環境光の色及び輝度が直接検出されているが、環境光下で鏡２１の鏡面に像として映し出された化粧対象者の色及び輝度を検出しても良い。【００３１】
このように化粧対象者の色及び輝度を検出する場合には受光部６５は環境光下で鏡２１の鏡面に像として映し出された化粧対象者（顔や肌）を撮影してその結果得られる映像信号を出力する。メモリ６３には複数のシーン各々に対応して化粧対象者が受ける照明条件である色及び輝度（明るさ）がデータとして予め記憶される。【００３２】
制御部６２は図８に示すように、操作された１つのシーンボタンに対応したシーンにおいて有機ＥＬパネル２５ａ〜２５ｄ，２６ａ〜２６ｄ各々の点灯により化粧対象者が受ける色及び輝度をメモリ６３から読み出し（ステップＳ１１）、受光部６５から供給された化粧対象者の映像信号に応じて化粧対象者の色及び輝度を決定し（ステップＳ１２）、化粧対象者の色及び輝度と、メモリ６３から読み出した色及び輝度との差（色の差及び輝度の差）を算出する（ステップＳ１３）。制御部６２はこの色及び輝度各々の差分を打ち消すように有機ＥＬパネル毎に１つのシーンボタンに対応したシーンの駆動用の色及び輝度を決定し（ステップＳ１４）、更に駆動用の色及び輝度に対応したＲＧＢの駆動電流値を有機ＥＬパネル毎にメモリ６３から読み出して決定する（ステップＳ１５）。そして、制御部６２は読み出した有機ＥＬパネル毎のＲＧＢの駆動電流値にて対応する有機ＥＬパネル２５ａ〜２５ｄ，２６ａ〜２６ｄ各々の赤緑及び青の発光色の各有機ＥＬ素子５０Ｒ，５０Ｇ，５０Ｂに駆動電流を供給する（ステップＳ１６）。ステップＳ１４〜Ｓ１６は図６のステップＳ４〜Ｓ６と同一である。【００３３】
この結果、化粧対象者の色及び輝度を検出する場合においても、選択された１つのシーンボタンに対応したシーンの照明から環境光の影響を排除させることができ、また、化粧対象者の日焼け等の肌の色を考慮しつつそのシーンに最適な照明状態を化粧対象者に対して作り出すことができる。【００３４】
図９は単一の面光源の発光面を複数の領域に分けて領域毎に個別に駆動する照明付き化粧鏡セットを示している。例えば、図１に示した実施例においては、側板１２，１３各々には複数の有機ＥＬパネル２５ａ〜２５ｄ，２６ａ〜２６ｄが取り付けられているが、図９に示すように側板１２，１３に単一の長手の有機ＥＬパネル２５，２６を取り付けても良い。この図９の照明付き化粧鏡セットにおいては、有機ＥＬパネル２５，２６各々の発光面を図９に破線で示すように複数の領域、例えば、４つの領域２８ａ〜２８ｄ，２９ａ〜２９ｄに領域分けし、上記した実施例のパネル毎の駆動と同様に、操作部におけるユーザによる入力操作に応じて制御部が領域毎に駆動しかつ発光色及び輝度をシーンに対応させて調整することが行われる。【００３５】
上記した本発明の実施例においては、鏡ユニットの鏡面の左右の位置に面光源が設けられているが、鏡面の上方に面光源を設けても良い。このような鏡面上方にも面光源を備えた化粧鏡セットは、例えば、図１０に示すように、鏡ユニット１１には左右の側板１２，１３が角度調整自在に連結され、更に上方に上板１７が角度調整自在に連結され、その上板１７には３つの有機ＥＬパネル（面光源）２７ａ〜２７ｃが水平方向に並べて接着によって取り付けられた構成からなる。
【符号の説明】
【００３６】
１１  鏡ユニット
１２，１３  側板
１４  支持台
１５  蝶番機構
２５ａ〜２５ｄ，２６ａ〜２６ｄ，２７ａ〜２７ｃ  有機ＥＬパネル
５０Ｒ，５０Ｇ，５０Ｂ  有機ＥＬ素子
【図１】
2013046438.tif 000003
【図２】
2013046438.tif 000004
【図３】
2013046438.tif 000005
【図４】
2013046438.tif 000006
【図５】
2013046438.tif 000007
【図６】
2013046438.tif 000008
【図７】
2013046438.tif 000009
【図８】
2013046438.tif 000010
【図９】
2013046438.tif 000011
【図１０】
2013046438.tif 000012
【手続補正書】
【提出日】平成24年5月25日(2012.5.25)
【手続補正１】
【補正対象書類名】特許請求の範囲
【補正対象項目名】全文
【補正方法】変更
【補正の内容】
【特許請求の範囲】
【請求項１】
鏡ユニットを備える照明付き化粧鏡セットであって、
色及び明るさを調整可能な照明用の面光源と、
前記面光源の非発光時に前記化粧鏡セットの設置場所における環境下で前記鏡ユニットの鏡面に映し出された人物の色及び明るさを検出する検出部と、
複数のシーン各々に対応した前記人物が受ける色及び明るさを照明条件として記録した記録部と、
入力操作に応じて前記複数のシーンから１のシーンを選択する選択部と、
前記選択部によって選択された前記１のシーンに対応した前記照明条件を前記記録部から取得する取得部と、
前記検出部によって検出された前記人物の色及び明るさと、
前記取得部によって取得された前記照明条件とに応じて前記面光源の色及び明るさを調整する調整部と、を備えることを特徴とする照明付き化粧鏡セット。
【請求項２】
前記面光源は複数備えられ、
前記記録部は前記面光源毎に前記複数のシーン各々に対応した照明条件を記録し、
前記調整部は前記検出部によって検出された前記人物の色及び明るさと、前記面光源毎に前記取得部によって取得された前記照明条件とに応じて前記面光源毎に前記面光源の色及び明るさを調整することを特徴とする請求項１記載の照明付き化粧鏡セット。
【請求項３】
前記照明条件は前記シーン毎の色及び明るさを含み、
前記調整部は前記検出部によって検出された前記人物の色及び明るさと、前記取得部によって取得された前記照明条件の色及び明るさとの差に応じて前記面光源の色及び明るさを調整することを特徴とする請求項１又は２記載の照明付き化粧鏡セット。
【請求項４】
前記調整部は前記検出部によって検出された前記人物の色及び明るさと、前記取得部によって取得された前記照明条件の色及び明るさとの差を打ち消すように前記面光源の色及び明るさを調整することを特徴とする請求項３記載の照明付き化粧鏡セット。
【請求項５】
（削除）
【請求項６】
鏡ユニットと、色及び明るさを調整可能な照明用の面光源とを備える照明付き化粧鏡セットの光源制御方法であって、
前記面光源の非発光時に前記化粧鏡セットの設置場所における環境下で前記鏡ユニットの鏡面に映し出された人物の色及び明るさを検出する検出ステップと、
入力操作に応じて複数のシーンから１のシーンを選択する選択ステップと、
前記複数のシーン各々に対応した前記人物が受ける色及び明るさを照明条件として記録した記録部から、前記選択ステップによって選択された前記１のシーンに対応した前記照明条件を取得する取得ステップと、
前記検出ステップによって検出された前記人物の色及び明るさと、前記取得ステップによって取得された前記照明条件とに応じて前記面光源の色及び明るさを調整する調整ステップと、を備えることを特徴とする照明付き化粧鏡セットの光源制御方法。
【手続補正書】
【提出日】平成26年3月11日(2014.3.11)
【手続補正１】
【補正対象書類名】特許請求の範囲
【補正対象項目名】全文
【補正方法】変更
【補正の内容】
【特許請求の範囲】
【請求項１】
鏡ユニットを備える照明付き化粧鏡セットであって、
色及び明るさを調整可能な照明用の面光源と、
前記面光源の非発光時に前記化粧鏡セットの設置場所における環境下で前記鏡ユニットの鏡面に映し出された人物の色及び明るさを検出する検出部と、
複数のシーン各々に対応した前記人物が受ける色及び明るさを照明条件として記録した記録部と、
入力操作に応じて前記複数のシーンから１のシーンを選択する選択部と、
前記選択部によって選択された前記１のシーンに対応した前記照明条件を前記記録部から取得する取得部と、
前記検出部によって検出された前記人物の色及び明るさと、前記取得部によって取得された前記照明条件とに応じて前記面光源の色及び明るさを調整する調整部と、を備えることを特徴とする照明付き化粧鏡セット。
【請求項２】
前記面光源は複数備えられ、
前記記録部は前記面光源毎に前記複数のシーン各々に対応した照明条件を記録し、
前記調整部は前記検出部によって検出された前記人物の色及び明るさと、前記面光源毎に前記取得部によって取得された前記照明条件とに応じて前記面光源毎に前記面光源の色及び明るさを調整することを特徴とする請求項１記載の照明付き化粧鏡セット。
【請求項３】
前記照明条件は前記シーン毎の色及び明るさを含み、
前記調整部は前記検出部によって検出された前記人物の色及び明るさと、前記取得部によって取得された前記照明条件の色及び明るさとの差に応じて前記面光源の色及び明るさを調整することを特徴とする請求項１又は２記載の照明付き化粧鏡セット。
【請求項４】
前記調整部は前記検出部によって検出された前記人物の色及び明るさと、前記取得部によって取得された前記照明条件の色及び明るさとの差を打ち消すように前記面光源の色及び明るさを調整することを特徴とする請求項３記載の照明付き化粧鏡セット。
【請求項５】
鏡ユニットと、色及び明るさを調整可能な照明用の面光源とを備える照明付き化粧鏡セットの光源制御方法であって、
前記面光源の非発光時に前記化粧鏡セットの設置場所における環境下で前記鏡ユニットの鏡面に映し出された人物の色及び明るさを検出する検出ステップと、
入力操作に応じて複数のシーンから１のシーンを選択する選択ステップと、
前記複数のシーン各々に対応した前記人物が受ける色及び明るさを照明条件として記録した記録部から、前記選択ステップによって選択された前記１のシーンに対応した前記照明条件を取得する取得ステップと、
前記検出ステップによって検出された前記人物の色及び明るさと、前記取得ステップによって取得された前記照明条件とに応じて前記面光源の色及び明るさを調整する調整ステップと、を備えることを特徴とする照明付き化粧鏡セットの光源制御方法。
【手続補正２】
【補正対象書類名】明細書
【補正対象項目名】０００７
【補正方法】変更
【補正の内容】
【０００７】
請求項１に係る発明の照明付き化粧鏡セットは、鏡ユニットを備える照明付き化粧鏡セットであって、色及び明るさを調整可能な照明用の面光源と、前記面光源の非発光時に前記化粧鏡セットの設置場所における環境下で前記鏡ユニットの鏡面に映し出された人物の色及び明るさを検出する検出部と、複数のシーン各々に対応した前記人物が受ける色及び明るさを照明条件として記録した記録部と、入力操作に応じて前記複数のシーンから１のシーンを選択する選択部と、前記選択部によって選択された前記１のシーンに対応した前記照明条件を前記記録部から取得する取得部と、前記検出部によって検出された前記人物の色及び明るさと、前記取得部によって取得された前記照明条件とに応じて前記面光源の色及び明るさを調整する調整部と、を備えることを特徴としている。
【手続補正３】
【補正対象書類名】明細書
【補正対象項目名】０００８
【補正方法】変更
【補正の内容】
【０００８】
請求項５に係る発明の照明付き化粧鏡セットの光源制御方法は、鏡ユニットと、色及び明るさを調整可能な照明用の面光源とを備える照明付き化粧鏡セットの光源制御方法であって、前記面光源の非発光時に前記化粧鏡セットの設置場所における環境下で前記鏡ユニットの鏡面に映し出された人物の色及び明るさを検出する検出ステップと、入力操作に応じて複数のシーンから１のシーンを選択する選択ステップと、前記複数のシーン各々に対応した前記人物が受ける色及び明るさを照明条件として記録した記録部から、前記選択ステップによって選択された前記１のシーンに対応した前記照明条件を取得する取得ステップと、前記検出ステップによって検出された前記人物の色及び明るさと、前記取得ステップによって取得された前記照明条件とに応じて前記面光源の色及び明るさを調整する調整ステップと、を備えることを特徴としている。
【手続補正４】
【補正対象書類名】明細書
【補正対象項目名】０００９
【補正方法】変更
【補正の内容】
【０００９】
請求項１に係る発明の照明付き化粧鏡セット及び請求項５に係る発明の照明付き化粧鏡セットの光源制御方法によれば、入力操作に応じて複数のシーンから１のシーンを選択すると共に化粧鏡セットの設置場所における環境下で鏡ユニットの鏡面に映し出された人物の色及び明るさを検出し、検出した人物の色及び明るさと、選択した１のシーンに対応して記録部から取得した照明条件とに応じて面光源の色及び明るさを調整するので、環境光の影響を考慮しつつ選択した１のシーンに最適な照明状態を作り出すことができる。
【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
鏡ユニットを備える照明付き化粧鏡セットであって、
色及び明るさを調整可能な照明用の面光源と、
前記面光源の非発光時に前記化粧鏡セットの設置場所における環境下で前記鏡ユニットの鏡面に映し出された人物の色及び明るさを検出する検出部と、
複数のシーン各々に対応した前記人物が受ける色及び明るさを照明条件として記録した記録部と、
入力操作に応じて前記複数のシーンから１のシーンを選択する選択部と、
前記選択部によって選択された前記１のシーンに対応した前記照明条件を前記記録部から取得する取得部と
前記検出部によって検出された前記人物の色及び明るさと前記取得部によって取得された前記照明条件とに応じて前記面光源の色及び明るさを調整する調整部と、を備えることを特徴とする照明付き化粧鏡セット。
【請求項２】
前記面光源は複数備えられ、前記記録部は前記面光源毎に前記複数のシーン各々に対応した照明条件を記録し、前記調整部は前記検出部によって検出された前記人物の色及び明るさと、前記面光源毎に前記取得部によって取得された前記照明条件とに応じて前記面光源毎に前記面光源の色及び明るさを調整することを特徴とする請求項１記載の照明付き化粧鏡セット。
【請求項３】
前記照明条件は前記シーン毎の色及び明るさを含み、前記調整部は前記検出部によって検出された前記人物の色及び明るさと、前記取得部によって取得された前記照明条件の色及び明るさとの差に応じて前記面光源の色及び明るさを調整することを特徴とする請求項１又は２記載の照明付き化粧鏡セット。
【請求項４】
前記調整部は前記検出部によって検出された前記人物の色及び明るさと、前記取得部によって取得された前記照明条件の色及び明るさとの差を打ち消すように前記面光源の色及び明るさを調整することを特徴とする請求項３記載の照明付き化粧鏡セット。
【請求項５】
鏡ユニットと、色及び明るさを調整可能な照明用の面光源とを備える照明付き化粧鏡セットの光源制御方法であって、
前記面光源の非発光時に前記化粧鏡セットの設置場所における環境下で前記鏡ユニットの鏡面に映し出された人物の色及び明るさを検出する検出ステップと、
入力操作に応じて複数のシーンから１のシーンを選択する選択ステップと、
前記複数のシーン各々に対応した前記人物が受ける色及び明るさを照明条件として記録した記録部から、前記選択ステップによって選択された前記１のシーンに対応した前記照明条件を取得する取得ステップと、
前記検出ステップによって検出された前記人物の色及び明るさと、前記取得ステップによって取得された前記照明条件とに応じて前記面光源の色及び明るさを調整する調整ステップと、を備えることを特徴とする照明付き化粧鏡セットの光源制御方法。
【請求項６】
鏡を備える照明セットであって、
明るさを調整可能な面光源と、  
環境光の明るさを検出するよう構成された検出部と、
入力操作に応じて複数のシーンから１のシーンを選択するよう構成された選択部と、
当該選択された１のシーンに対応して、前記環境光下において前記鏡に映し出された対象像の明るさを含む照明条件を取得するよう構成された取得部と、
前記鏡に映し出された前記対象像の当該検出された明るさと当該取得された照明条件とに応じて前記面光源の明るさを調整するよう構成された調整部と、を備えることを特徴とする照明セット。
【請求項７】
前記複数のシーンに対応した照明条件を記録する記録部を含み、
前記取得部は、前記照明条件を前記記録部から取得することを特徴とする請求項６に記載の照明セット。
【請求項８】
前記照明条件は、前記複数のシーンの各々の明るさを含み、
前記調整部は、前記鏡に映し出された前記対象像の当該検出された明るさと当該取得された照明条件の明るさとの差に応じて前記面光源の明るさを調整するように構成されていることを特徴とする請求項６又は７に記載の照明セット。
【請求項９】
前記調整部は、前記鏡に映し出された前記対象像の当該検出された明るさと当該取得された照明条件の明るさとが実質的に同一となるように前記面光源の明るさを調整するように構成されていることを特徴とする請求項８に記載の照明セット。
【請求項１０】
前記面光源は複数の面光源として備えられ、
前記調整部は、前記鏡に映し出された前記対象像の当該検出された明るさと前記複数の面光源の各々の当該取得された照明条件とに応じて前記複数の面光源の各々の明るさを調整するように構成されていることを特徴とする請求項６ないし９のいずれか１に記載の照明セット。
【請求項１１】
前記複数の面光源の各々について前記複数のシーンの各々に対応した照明条件を記録する記録部を含み、
前記取得部は、前記複数の面光源の各々の前記照明条件を前記記録部から取得することを特徴とする請求項１０に記載の照明セット。
【請求項１２】
前記照明条件は、前記複数の面光源の各々について前記複数のシーンの各々に対応した照明条件を含み、
前記調整部は、前記鏡に映し出された前記対象像の当該検出された明るさと前記複数の面光源の各々の当該取得された照明条件の明るさとの差に応じて前記複数の面光源の各々の明るさを調整するように構成されていることを特徴とする請求項１０又は１１に記載の照明セット。
【請求項１３】
前記調整部は、前記鏡に映し出された前記対象像の当該検出された明るさと、前記複数の面光源の各々の当該取得された照明条件の明るさとが実質的に同一となるように前記複数の面光源の各々の明るさを調整するように構成されていることを特徴とする請求項１２に記載の照明セット。
【手続補正２】
【補正対象書類名】明細書
【補正対象項目名】００１４
【補正方法】変更
【補正の内容】
【００１４】
側板１２，１３各々の表面には４つの有機ＥＬ(Electro Luminescence)パネル（面光源）２５ａ〜２５ｄ，２６ａ〜２６ｄが垂直方向に並べて接着によって取り付けられている。有機ＥＬパネル２５ａ〜２５ｄ，２６ａ〜２６ｄは同一のものであり、例えば、１３ｃｍ×１３ｃｍの正方形状をしている。
【手続補正３】
【補正対象書類名】明細書
【補正対象項目名】００２１
【補正方法】変更
【補正の内容】
【００２１】
それらの有機ＥＬ素子５０Ｒ，５０Ｇ，５０Ｂ各々は陽極５２、ホール注入層５３、ホール輸送層５４、ＲＧＢ発光層５５Ｒ，５５Ｇ，５５Ｂ、電子輸送層５６、そして陰極５７の順に積層された構造を有し、有機ＥＬ素子５０Ｒ，５０Ｇ，５０Ｂ間はバンク５８で仕切られている。また、各有機ＥＬ素子５０Ｒ，５０Ｇ，５０Ｂの陽極５２上にはバスライン５９が形成されており、バスライン５９によって陽極５２への給電が行われるようになっている。陽極５２は例えば、スパッタ法により膜厚７０ｎｍのＩＴＯ膜からなる。ホール注入層５３はＣｕＰｃからなり、厚さ２０ｎｍである。ホール輸送層５４はＮＰＢからなり、厚さ２０ｎｍである。Ｒ（赤）発光層５５ＲはＣＰＢをホスト材料とし、Ｉｒ(ｐｈｑ)２ｔｐｙをドーパントとしており、Ｇ（緑）発光層５５ＧはＣＰＢをホスト材料とし、Ｉｒ(ｐｐｙ)３をドーパントとしており、Ｂ（青）発光層５５ＢはＰＡＮＤをホスト材料とし、ＤＰＡＶＢｉをドーパントとしている。ＲＧＢ発光層５５Ｒ，５５Ｇ，５５Ｂの厚さは４０ｎｍである。電子輸送層５６はＣｓｘＭｏＯｘをドープしたＮＢｐｈｅｎからなり、厚さ３０ｎｍである。陰極５７は膜厚７０〜１００ｎｍのＡｌ膜からなる。なお、この有機ＥＬパネル２５ａ〜２５ｄ，２６ａ〜２６ｄの内部構造は一例であり、本発明はこれに限定されない。
【手続補正４】
【補正対象書類名】明細書
【補正対象項目名】００２９
【補正方法】変更
【補正の内容】
【００２９】
なお、操作部６４でシーンボタン７５ａ〜７５ｅのいずれか１つのシーンボタンが押圧操作されることが選択ステップに対応し、制御部６２によるステップＳ１が取得ステップに対応し、ステップＳ２が検出ステップに対応し、ステップＳ３〜Ｓ６が調整ステップに対応する。
【国際調査報告】
2013046438.tif 000013
2013046438.tif 000014
2013046438.tif 000015
2013046438.tif 000016